(57)【要約】      （修正有）【課題】蛍光イメージングを動的に調整する方法及び装置を提供する。【解決手段】蛍光イメージングを動的に調整する方法であって、発光ダイオード１２２が、光を放射して口腔内の歯１１０を照射し、歯から蛍光を発生させるステップと、光学フィルタ１２４が、蛍光をフィルタリングするステップと、イメージセンサが、信号を受信し、信号に基づいてアナログ−デジタル変換器のゲイン値を調整するステップと、アナログ−デジタル変換器が、フィルタリングされた蛍光をデジタル信号に変換し、ゲイン値に基づいてデジタル信号を調整するステップと、プロセッサが、ゲイン値に対応する出力画像信号をデジタル信号から生成するステップと、を含む方法。【選択図】図１
2019198624.tif 000002
【特許請求の範囲】
【請求項１】
装置に用いられ、蛍光イメージングを動的に調整する方法であって、
発光ダイオードが、光を放射して口腔内の歯を照射するステップであって、前記光は、前記歯から蛍光を発生させるために用いられる、ステップと、
光学フィルタが、前記蛍光をフィルタリングするステップと、
イメージセンサが、信号を受信し、前記信号に基づいてアナログ−デジタル変換器のゲイン値を調整するステップと、
アナログ−デジタル変換器が、フィルタリングされた蛍光をデジタル信号に変換し、前記ゲイン値に基づいて前記デジタル信号を調整するステップと、
プロセッサが、前記ゲイン値に対応する出力画像信号を前記デジタル信号から生成するステップと、を含む、
方法。
【請求項２】
前記イメージセンサは、前記信号に基づいてアナログ−デジタル変換器の青色光チャネルに対応するゲイン値を調整する、請求項１に記載の方法。
【請求項３】
前記光学フィルタは、約４５０ナノメートル（ｎｍ）以下の波長帯域を含む光をフィルタリングする、請求項１に記載の方法。
【請求項４】
前記光学フィルタは、４３０ｎｍ〜４８０ｎｍ、６２０ｎｍ〜７５０ｎｍ及びこれらの組み合わせの範囲から選択された波長帯域を含まない光をフィルタリングする、請求項１に記載の方法。
【請求項５】
前記光学フィルタは、４５０ｎｍ〜６８０ｎｍの範囲の波長帯域を含まない光をフィルタリングする、請求項１に記載の方法。
【請求項６】
蛍光イメージングを動的に調整する装置であって、
光を放射して口腔内の歯を照射する発光ダイオードであって、前記光は、前記歯から蛍光を発生させるために用いられる、発光ダイオードと、
前記蛍光をフィルタリングする光学フィルタと、
前記光学フィルタに接続されており、信号を受信するイメージセンサであって、前記フィルタリングされた蛍光をデジタル信号に変換するアナログ−デジタル変換器を含むイメージセンサと、
前記イメージセンサに接続されており、前記デジタル信号から出力画像信号を生成するプロセッサと、を備え、
前記イメージセンサは、前記信号に基づいて、アナログ−デジタル変換器のゲイン値を調整し、前記アナログ−デジタル変換器は、前記ゲイン値に基づいて前記デジタル信号を調整し、前記プロセッサは、前記ゲイン値に対応する出力画像信号を生成する、
装置。
【請求項７】
前記イメージセンサは、前記信号に基づいてアナログ−デジタル変換器の青色光チャネルに対応するゲイン値を調整する、請求項６に記載の装置。
【請求項８】
前記光学フィルタは、約４５０ナノメートル（ｎｍ）以下の波長帯域を含む光をフィルタリングする、請求項６に記載の装置。
【請求項９】
前記光学フィルタは、４３０ｎｍ〜４８０ｎｍ、６２０ｎｍ〜７５０ｎｍ及びこれらの組み合わせの範囲から選択された波長帯域を含まない光をフィルタリングする、請求項６に記載の装置。
【請求項１０】
前記光学フィルタは、４５０ｎｍ〜６８０ｎｍの範囲の波長帯域を含まない光をフィルタリングする、請求項６に記載の装置。
【発明の詳細な説明】
【技術分野】
【０００１】
本願は、２０１８年５月１７日に出願された台湾特許出願番号第１０７１１６７６６号についての優先権を主張するものであり、この全ての内容は、引用によって本願に援用される。
【０００２】
本発明は、蛍光イメージングを動的に調整する方法及び装置に関し、特に、蛍光イメージングを動的に調整して、歯の歯垢を検出する方法及び装置に関する。
【背景技術】
【０００３】
う蝕及び歯周病は、歯垢内の細菌によって引き起こされる感染症であると考えられている。歯垢の除去は、歯の健康と虫歯の予防において非常に重要である。しかしながら、歯垢を肉眼で確認することは容易ではない。そのため、歯垢及び／又はう蝕の検出を助けるために、様々な歯垢検出装置が製造されている。
【０００４】
ほとんどの歯垢検出装置は、歯垢（及び／又はう蝕）並びに非う蝕領域の可視発光スペクトル（visible luminescence spectra）が実質的に異なることを利用する。例えば、周知のタイプの歯垢装置の１つは、照射光を用いて歯の材料及び歯肉を照射し、歯垢に感染した領域を識別する。このタイプの歯垢検出器は、青色励起光を用いて歯の表面を照射することができ、約４８０ナノメートル（ｎｍ）以下の波長を含む青色光をフィルタリングして、歯垢及び／又はう蝕の影響を受けた領域を明らかにするフィルタを用いて構成することができる。
【０００５】
しかしながら、このタイプの装置のフィルタが決まると、装置によって生成された蛍光イメージングが変化しない。したがって、かかる欠点を改善するために、蛍光イメージングを動的に調整する方法及び装置が必要とされている。
【発明の概要】
【発明が解決しようとする課題】
【０００６】
蛍光イメージングを動的に調整する方法および装置を提供する。
【課題を解決するための手段】
【０００７】
以下の概要は、例示に過ぎず、決して限定することを意図するものではない。即ち、以下の概要は、本明細書に記載された新規で非自明な技術の概念、ハイライト、利益及び利点を紹介するために提供される。全てではないが、選択された実施例が以下の詳細な説明において説明される。従って、以下の要約は、請求項の発明の本質的な特徴を特定することを意図するものではなく、請求項の発明の範囲の決定に使用されるのを意図したものでもない。
【０００８】
蛍光イメージングを動的に調整する方法及び装置を提供する。
【０００９】
好ましい実施形態では、本開示において、蛍光イメージングを動的に調整する方法が提供される。この方法は、装置に用いられ、発光ダイオードが、光を放射して口腔内の歯を照射するステップであって、前記光は、前記歯から蛍光を発生させるために用いられる、ステップと、光学フィルタが、蛍光をフィルタリングするステップと、イメージセンサが、信号を受信し、前記信号に基づいてアナログ−デジタル変換器のゲイン値を調整するステップと、アナログ−デジタル変換器が、フィルタリングされた蛍光をデジタル信号に変換し、ゲイン値に基づいてデジタル信号を調整するステップと、プロセッサが、前記ゲイン値に対応する出力画像信号を前記デジタル信号から生成するステップと、を含む。
【００１０】
いくつかの実施形態では、イメージセンサは、信号に基づいてアナログ−デジタル変換器の青色光チャネルに対応するゲイン値を調整する。
【００１１】
いくつかの実施形態では、光学フィルタは、約４５０ナノメートル（ｎｍ）以下の波長帯域を含む光をフィルタリングする。
【００１２】
いくつかの実施形態では、光学フィルタは、４３０ｎｍ〜４８０ｎｍ、６２０ｎｍ〜７５０ｎｍ及びこれらの組み合わせの範囲から選択された波長帯域を含まない光をフィルタリングする。
【００１３】
いくつかの実施形態では、光学フィルタは、４５０ｎｍ〜６８０ｎｍの範囲の波長帯域を含まない光をフィルタリングする。
【００１４】
好ましい実施形態では、本開示において、蛍光イメージングを動的に調整する装置が提供される。この装置は、発光ダイオードと、光学フィルタと、イメージセンサと、プロセッサと、を含む。発光ダイオードは、光を放射して口腔内の歯を照射し、当該光は、歯から蛍光を発生させるために用いられる。光学フィルタは、蛍光をフィルタリングする。イメージセンサは、光学フィルタに接続されており、信号を受信し、アナログ−デジタル変換器を含む。アナログ−デジタル変換器は、フィルタリングされた蛍光をデジタル信号に変換する。プロセッサは、イメージセンサに接続されており、デジタル信号から出力画像信号を生成する。イメージセンサは、信号に基づいて、アナログ−デジタル変換器のゲイン値を調整する。アナログ−デジタル変換器は、ゲイン値に基づいてデジタル信号を調整し、プロセッサは、ゲイン値に対応する出力画像信号を生成する。
【００１５】
添付図面は、本開示の更なる理解を提供するために含まれるものであり、本開示に組み込まれ、本開示の一部を構成する。図面は、本開示の実施形態を示しており、説明と共に、本発明の原理を説明する役割を果たす。本開示の概念を明確に説明するために、いくつかの構成要素が実際の実装におけるサイズに比例して示されているため、図面は必ずしも縮尺通りに描かれていないことを理解されたい。
【図面の簡単な説明】
【００１６】
【図１】本開示の一実施形態による、検査装置で歯の検査をする動作を示す概略図である。
【図２】本開示の一実施形態による、検査装置の簡略化された機能ブロック図である。
【図３】本開示の一実施形態による、蛍光イメージングを動的に調整する方法を示すフロー図である。
【図４Ａ】本開示の一実施形態による、異なるアナログ−デジタル変換器のゲイン値に基づいて検査装置より出力された異なる出力画像信号を示す概略図である。
【図４Ｂ】本開示の一実施形態による、異なるアナログ−デジタル変換器のゲイン値に基づいて検査装置より出力された異なる出力画像信号を示す概略図である。
【図４Ｃ】本開示の一実施形態による、異なるアナログ−デジタル変換器のゲイン値に基づいて検査装置より出力された異なる出力画像信号を示す概略図である。
【図４Ｄ】本開示の一実施形態による、異なるアナログ−デジタル変換器のゲイン値に基づいて検査装置より出力された異なる出力画像信号を示す概略図である。
【発明を実施するための形態】
【００１７】
本開示の様々な態様は、添付図面を参照して、以下でより十分に説明される。しかしながら、本開示は、多くの異なる形態で実施することができ、本開示を通して提示される任意の特定の構造又は機能に限定されるものと解釈されるべきではない。むしろ、これらの態様は、本開示が十分且つ完全であり、本開示の範囲を当業者に十分に伝えるように提供されている。本明細書の教示に基づいて、当業者は、本開示の範囲が、独立して実施されるか又は本開示の他の態様と組み合わせて実施されるかに関わらず、本明細書に開示された本開示の任意の態様をカバーするものであることを認識するべきである。例えば、本明細書で説明された任意の数の態様を用いて、装置を実装してもよいし、方法を実施してもよい。更に、本開示の範囲は、本明細書で説明された開示の様々な態様に加えて、又は、これ以外の他の構造、機能、若しくは、構造及び機能を用いて実施される装置又は方法を包含することを意図している。本明細書に開示された本開示の任意の態様は、請求項の１つ以上の構成要素によって実現され得ることを理解されたい。
【００１８】
「例示的（exemplary）」という用語は、本明細書では、「例（example）、事例（instance）又は例示（illustration）としての役割を果たす」ことを意味するために用いられる。本明細書で「例示的」と記載されている任意の態様は、必ずしも他の態様よりも好ましい又は有利であると解釈されるべきではない。更に、いくつかの図面を通して同様の参照番号は同様の構成要素を表し、説明において特に断らない限り、「或る」及び「この」という用語は複数の参照を含む。
【００１９】
ある構成要素が他の構成要素に「接続されている（connected）」又は「結合されている（coupled）」と言及されている場合、それは他の要素に直接接続又は結合されてもよいし、介在要素が存在してもよいことを理解されたい。これに対し、構成要素が他の構成要素に「直接接続されている」又は「直接結合されている」と言及されている場合、介在要素は存在しない。構成要素間の関係を説明するために用いられる他の単語は、同様の態様（例えば、「〜の間に（between）」に対する「直接〜の間に（directly between）」、「隣接して（adjacent）」に対する「直接隣接して（directly adjacent）」等）で解釈されるべきである。
【００２０】
図１は、本開示の一実施形態による、検査装置１２０で歯の検査をする動作を示す概略図である。図１では、検査装置１２０は、発光ダイオード１２２と、光学フィルタ１２４と、イメージセンサと、検査装置１２０と一体化することができるプロセッサ（図示省略）と、を少なくとも備えることができる。
【００２１】
いくつかの実施形態では、発光ダイオード１２２は、３７０ナノメートル（ｎｍ）〜４３０ｎｍの範囲の波長帯域を含む光を放射して、口腔内の歯１１０を照射することができる。他の実施形態では、発光ダイオード１２２は、４０５ｎｍの波長を含む光を放射することができる。具体的には、歯１１０の歯垢は、歯１１０が特定の波長の入射青色光で照射された場合に、蛍光発光を生成する。
【００２２】
光学フィルタ１２４は、蛍光をフィルタリングするために用いられる。イメージセンサは、光学フィルタ１２４に接続されており、フィルタリングされた蛍光を受光して、デジタル信号に変換する。プロセッサは、イメージセンサに接続されており、デジタル信号から出力画像信号を生成する。
【００２３】
検査装置１２０は、ネットワーク１５０を使用して電子装置１３０に接続されており、出力画像信号を電子装置１３０に送信することができる。例示的な電子装置は、デスクトップコンピュータ、ノートブック、スマートフォン、パーソナルデジタルアシスタント（ＰＤＡ）、タブレット、又は、表示画面を有する任意の他の装置を含むことができる。ユーザは、電子装置１３０を介して出力画像信号中の歯１１０の歯垢を見ることができる。ネットワーク１５０は、有線及び／又は無線ネットワークを提供することができる。ネットワーク１５０は、ローカルエリアネットワーク（ＬＡＮ）（例えば、イントラネット）、無線ローカルエリアネットワーク（ＷＬＡＮ）若しくはＷｉ−Ｆｉ（登録商標）ネットワーク、第３世代（３Ｇ）若しくは第４世代（４Ｇ）移動体通信ネットワーク、ワイドエリアネットワーク（ＷＡＮ）、インターネット、ブルートゥース（登録商標）、又は、これらの任意の適切な組み合わせを含むことができる。
【００２４】
本実施形態では、検査装置１２０は、発光ダイオード１２２と一体化した単一の装置となっている。単一の装置に統合された検査装置１２０は、発光ダイオード１２２から分離することができる。検査装置１２０は、歯科用ミラー等の一般的な電子装置であってもよいことに留意されたい。図１の検査装置１２０は、歯科用ミラーの形態で示されているが、本開示はこれに限定されないことが当業者に理解されるべきである。
【００２５】
図２は、本開示の一実施形態による、検査装置２００の簡略化された機能ブロック図である。図２に示すように、検査装置２００は、図１の検査装置１２０であってもよい。
【００２６】
図２では、検査装置２００は、入力装置２０２と、出力装置２０４と、発光ダイオード２０６と、光学フィルタ２０８と、イメージセンサ２１０と、制御回路２１２と、トランシーバ２２０と、を含むことができる。イメージセンサ２１０は、少なくともアナログ−デジタル変換器（ＡＤＣ）２１０２を備えることができる。制御回路２１２は、中央処理装置（ＣＰＵ）２１４と、メモリ２１６と、を備えることができる。
【００２７】
検査装置２００は、ユーザが入力装置２０２（ボタン等）を介して入力した信号を受信し、出力装置２０４を介して画像を出力することができる。一実施形態では、発光ダイオード２０６は、通電されると、３７０ｎｍ〜４３０ｎｍの範囲の波長帯域を含む光を放射することができる。他の実施形態では、発光ダイオード２０６は、４０５ｎｍの波長を含む光を放射することができる。上記の光は、正常な歯科組織と異常な歯科組織との間で検出可能な蛍光発光を効果的に生成することができる。
【００２８】
光学フィルタ２０８は、蛍光をフィルタリングするために用いられる。一実施形態では、光学フィルタ２０８は、約４５０ｎｍ以下の波長帯域を含む光をフィルタリングする。他の実施形態では、光学フィルタ２０８は、４３０ｎｍ〜４８０ｎｍ、６２０ｎｍ〜７５０ｎｍ、及び、これらの組み合わせの範囲から選択された波長帯域を含まない光をフィルタリングすることができる。更に別の実施形態では、光学フィルタ２０８は、４５０ｎｍ〜６８０ｎｍの範囲の波長帯域を含まない光をフィルタリングする。
【００２９】
イメージセンサ２１０は、光学フィルタ２０８に接続されており、フィルタリングされた蛍光を光学フィルタ２０８から受光し、フィルタリングされた蛍光をアナログ−デジタル変換器２１０２を用いてデジタル信号に変換する。更に、イメージセンサ２１０は、入力装置２０２又はトランシーバ２２０を介してユーザによって入力された信号を受信して、アナログ−デジタル変換器２１０２のゲイン値を調整することができる。アナログ−デジタル変換器２１０２は、ゲイン値に基づいてデジタル信号を調整し、調整されたデジタル信号を制御回路２１２に送信する。制御回路２１２内のＣＰＵ２１４は、調整されたデジタル信号を受信した後に、ゲイン値に対応する出力ビデオ信号を生成する。具体的には、イメージセンサ２１０は、ユーザが入力した信号に基づいて、アナログ−デジタル変換器２１０２の青色光チャネルに対応するゲイン値を調整して、出力画像信号内の青色光の信号強度を変更する。
【００３０】
メモリ２１６は、プログラムコード２１８を記憶することができる。制御回路２１２は、ＣＰＵ２１４を介してメモリ２１６内のプログラムコード２１８を実行することにより、検査装置２００によって実行される動作を制御する。トランシーバ２２０は、無線信号を送受信するために用いられ、受信した信号を制御回路２１２に送り、制御回路２１２によって生成された信号を無線で出力する。
【００３１】
図３は、本開示の一実施形態による、蛍光イメージングを動的に調整する方法を示すフロー図３００である。この方法は、図１の検査装置１２０のプロセッサで用いられる。
【００３２】
ステップＳ３０５において、検査装置の発光ダイオードは、歯からの蛍光を発生させるのに用いられる光を放射して、口腔内の歯を照射する。ステップＳ３１０において、検査装置の光学フィルタは、蛍光をフィルタリングする。一実施形態では、光学フィルタは、約４５０ナノメートル（ｎｍ）以下の波長帯域を含む光をフィルタリングする。他の実施形態では、光学フィルタは、４３０ｎｍ〜４８０ｎｍ、６２０ｎｍ〜７５０ｎｍ、及び、これらの組み合わせの範囲から選択された波長帯域を含まない光をフィルタリングすることができる。更に別の実施形態では、光学フィルタ２０８は、４５０ｎｍ〜６８０ｎｍの範囲の波長帯域を含まない光をフィルタリングする。
【００３３】
ステップＳ３１５において、検査装置のイメージセンサは、信号を受信し、その信号に基づいてアナログ−デジタル変換器のゲイン値を調整する。一実施形態では、イメージセンサは、信号に基づいてアナログ−デジタル変換器の青色光チャネルに対応するゲイン値を調整する。
【００３４】
ステップＳ３２０において、検査装置のアナログ−デジタル変換器は、フィルタリングされた蛍光をデジタル信号に変換し、ゲイン値に基づいてデジタル信号を調整する。ステップＳ３２５において、検査装置のプロセッサは、ゲイン値に対応する出力画像信号をデジタル信号から生成する。
【００３５】
従って、図３の方法３００を介して、検査装置は、受信した信号に基づいてアナログ−デジタル変換器の青色チャネルに対応するゲイン値を動的に調整して、蛍光イメージングを動的に変更する効果を達成する。
【００３６】
図４Ａ〜４Ｄは、本開示の一実施形態による、異なるアナログ−デジタル変換器のゲイン値に基づいて検査装置より出力された異なる出力画像信号を示す概略図である。図４Ａは、アナログ−デジタル変換器のゲイン値が１６の場合に対応する画像である。図４Ｂは、アナログ−デジタル変換器のゲイン値が９の場合に対応する画像である。図４Ｃは、アナログ−デジタル変換器のゲイン値が７の場合に対応する画像である。図４Ｄは、アナログ−デジタル変換器のゲイン値が４の場合に対応する画像である。図４Ａ〜図４Ｄに示すように、アナログ−デジタル変換器のゲイン値が低いほど、画像内の青色チャネルの比率が低くなる。換言すれば、アナログ−デジタル変換器のゲイン値が低いほど、出力画像の色がより黄色になる。
【００３７】
上述したように、本開示の蛍光イメージングを動的に調整する方法及び装置は、アナログ−デジタル変換器のゲイン値を調整して、蛍光イメージングにおける青色光の割合を動的に変化させる。また、光学フィルタによってフィルタリングされる光の波長範囲が固定されていても、本開示の蛍光イメージングを動的に調整する方法及び装置を介して、光学フィルタを交換することなく、異なる蛍光イメージングを達成することができる。
【００３８】
また、上記の例示的な装置では、上述の方法が一連のステップ又はブロックを用いたフロー図に基づいて説明されているが、本開示はステップの順序に限定されず、いくつかのステップは、残りのステップとは異なる順序で実行されてもよいし、残りのステップと同時に実行されてもよい。
【００３９】
また、ＣＰＵ２１４は、プログラムコード２１８を実行して、上述した全ての動作及びステップ、又は、本明細書で説明された他の全てを実行することができる。
【００４０】
以上、本開示の様々な態様について説明した。本明細書における教示が、広範な様々な形態で実施されてもよいこと、及び、本明細書に開示されている任意の特定の構造、機能又は両方が単に代表的なものに過ぎないことが明らかである。本明細書の教示に基づいて、当業者は、本明細書に開示された態様が他の態様から独立して実施されてもよいし、これらの態様の２つ以上が様々な方法で組み合わされてもよいことを理解するべきである。例えば、本明細書で説明された任意の数の態様を用いて、装置を実装してもよいし、方法を実行してもよい。更に、本明細書で説明された１つ以上の態様に加えて、又は、これ以外の他の構造、機能、若しくは、構造及び機能を用いて装置が実装されてもよいし、方法が実行されてもよい。
【００４１】
当業者であれば、様々な異なる技術及び技法の何れかを用いて情報及び信号を表すことができるのを理解するであろう。例えば、上記の説明を通して参照され得るデータ、命令、コマンド、情報、信号、ビット、シンボル及びチップは、電圧、電流、電磁波、磁場若しくは磁性粒子、光学フィールド若しくは光粒子、又は、これらの任意の組み合わせによって表すことができる。
【００４２】
当業者であれば、本明細書に開示された態様に関連して説明した様々な例示的な論理ブロック、モジュール、プロセッサ、手段、回路及びアルゴリズムステップが、電子ハードウェア（例えば、ソースコーディング若しくは他のいくつかの技術を用いて設計することができるデジタル実装、アナログ実装若しくはこれら２つの組み合わせ）、命令を組み込んだプログラム若しくは設計コードの様々な形態（便宜上、「ソフトウェア」若しくは「ソフトウェアモジュール」と呼ぶ）、又は、これら両方の組み合わせとして実装されてもよいことをさらに認識するであろう。ハードウェアとソフトウェアとの互換性を明確に説明するために、様々な例示的な要素、ブロック、モジュール、回路及びステップが、これらの機能性に関して一般的に記載されている。かかる機能性がハードウェア又はソフトウェアとして実装されるか否かは、特定のアプリケーションや、システム全体に課される設計制約に依存する。当業者は、特定のアプリケーション毎に異なる方法で説明された機能を実装することができるが、かかる実装の決定は、本開示の範囲から逸脱するものと解釈されるべきではない。
【００４３】
本明細書で開示された態様に関連して説明された様々な例示的な論理ブロック、モジュール及び回路は、集積回路（ＩＣ）、アクセス端末又はアクセスポイント内に実装されてもよいし、これらによって実行されてもよい。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、電子部品、光学部品、機械部品、又は、これらの任意の組み合わせを含み、ＩＣ内部、ＩＣ外部又はその両方に存在するコード又は命令を実行してもよい。汎用プロセッサは、マイクロプロセッサであってもよいが、任意のプロセッサ、コントローラ、マイクロコントローラ又は状態機械であってもよい。また、プロセッサは、コンピューティング装置の組み合わせ（例えば、ＤＳＰとマイクロプロセッサとの組み合わせ、複数のマイクロプロセッサ、ＤＳＰコアと連動する１つ以上のマイクロプロセッサ、又は、任意の他のかかる構成）として実装されてもよい。
【００４４】
任意の開示されたプロセスにおける任意の特定の順序又はステップの階層は、サンプルアプローチの例であることを理解されたい。プロセスにおける任意の特定の順序又はステップの階層は、本開示の範囲内に留まりながら再整理されてもよいことを理解されたい。付随する方法の請求項は、サンプル順序における様々なステップの要素を提示し、提示された特定の順序又はステップの階層に限定されることを意味しない。
【００４５】
本開示は、例として、例示的な実施形態に関して説明されているが、本開示はその実施形態に限定されないことを理解されたい。当業者は、本発明の趣旨及び範囲から逸脱することなく、様々な変更及び修正を行うことができる。よって、本発明の範囲は、以下の特許請求の範囲及びこの均等物によって定義され保護されるものとする。
【符号の説明】
【００４６】
１１０…歯
１２０…検査装置
１２２…発光ダイオード
１２４…光学フィルタ
１３０…電子装置
１５０…ネットワーク
２００…検査装置
２０２…入力装置
２０４…出力装置
２０６…発光ダイオード
２０８…光学フィルタ
２１０…イメージセンサ
２１０２…アナログ−デジタル変換器（ＡＤＣ）
２１２…制御回路
２１４…中央処理装置（ＣＰＵ）
２１６…メモリ
２１８…プログラムコード
２２０…トランシーバ
３００…方法
Ｓ３０５，Ｓ３１０，Ｓ３１５，Ｓ３２０，Ｓ３２５…ステップ
【図１】
2019198624.tif 000003
【図２】
2019198624.tif 000004
【図３】
2019198624.tif 000005
【図４Ａ】
2019198624.tif 000006
【図４Ｂ】
2019198624.tif 000007
【図４Ｃ】
2019198624.tif 000008
【図４Ｄ】
2019198624.tif 000009